(57)【要約】      （修正有）【課題】端子圧着機に安易に且つ簡便に取付け可能なセパレータ紙テープ巻取り装置を提供する。【解決手段】端子圧着機の端子帯リール２において、端子リールの端子帯間に介装されているセパレータ紙テープ１５を、端子帯リールの側板１６、１７に、直接接触させることにより、回転動力を得て、回転する専用巻取リール６を備え、セパレータ紙テープを巻込み収納する。専用巻取りリールの内側に、端子帯リール側板と接触し伝達するための摩擦ドラム１８、１９を、左右に設けた。【選択図】図４
0003225575.tif 000002
【実用新案登録請求の範囲】
【請求項１】
端子圧着機の端子帯リールにおいて、前記端子リールの端子帯間に介装されているセパレータ紙テープを、前記端子帯リールの側板１６Ａ，１６Ｂに、直接接触させることにより、回転動力を得て、回転する専用巻取リールを備え、セパレータ紙テープを巻込み収納することを特徴としたセパレータ紙テープを巻取る装置。
【請求項２】
専用巻取りリールの内側に、端子帯リール側板１６Ａ，１６Ｂと接触し伝達するための摩擦ドラムを、左右に設けた事を特徴とした専用巻取りリールを備えた［請求項１］記載のセパレータ紙テープ巻取り装置。
【考案の詳細な説明】
【技術分野】
【０００１】本考案は、端子圧着機の端子帯リールに介装されているセパレータ紙テープ巻取り機に関する。
【背景技術】
【０００２】
【先行技術文献】
従来、セパレータ紙テープは専用の巻取りモータを具備した巻取りリールに、巻取り収納している。しかし、高価であるが故に故に、一般的には、専用巻取り機具備せず端子帯リールから排出されたセパレータ紙テープを直接ダンボール箱等で受けてプールしているのが実情である。
【特許文献】
【０００３】
【特許文献１】特開２００９−２１８０６８号
【特許文献２】特開２００３−３１７８９５号
【非特許文献】
【０００４】
【非特許文献１】
【非特許文献２】
【考案の概要】
【考案が解決しようとする課題】
【０００５】前記端子帯リールから排出されるセパレータ紙テープをフリーな状態で、床まで排出する際に時として端子帯リールの端子部に機械的な引掛り状態が生じ、端子帯リールの端子部と同時に圧着金型内部に引き込まれる。【０００６】圧着金型内部に引き込まれたセパレータ紙テープは、本来端子帯リールの被端子の下側に潜入せしめ、端子帯リールの前進駆動を阻害し、圧着プレスの複数回動作が生じる。圧着プレスの複数回動作により端子帯リールの圧着端子は変形し、且つ圧着プレス型の損傷をまねくことになる。【０００７】また一方において、端子圧着機の後部にランダムに積上げられた拡散したセパレータ紙テープは、作業上の妨害となり、火災要因及び廃棄時の作業効率低下をまねいている。【０００８】本考案のセパレータ紙テープ巻取り機を取付けることにより、巻取るための電動力を必要とせず、安価で且つ簡易的に取付可能であり、上記の課題を解決する手段となる。
【課題を解決するための手段】
【０００９】そこで本考案においては、汎用型端子圧着機に安易に且つ簡便に取付け可能なセパレータ紙テープ巻取り装置を提供するものである。【００１０】端子圧着機１本体に取付けられる端子リール２の端子帯３は端子圧着機構４に供給され、間欠的に前方へと供給される端子帯３が、前方へ送給移動されることにより時計方向へ回転動力を得て、セパレータ紙テープ巻取り装置５の巻取りリール６に回転力を伝達し、巻取りリール６は反時計方向を回転せしめる。【００１１】巻取りリール６の構造を図２に示し、巻取り動作を詳細に説明する。
前記巻取りリール６は、フランジ７Ａ，フランジ７Ｂ，巻取り芯筒８の３点より構成されている。更に、前記フランジ７Ａ，７Ｂ，巻取り芯筒８は、端子圧着機本体１から延びている固定金具９に具備している軸受部１０の軸部１１にセットされている。【００１２】軸部１１の軸１１にセットされているフランジ７Ａ，７Ｂと巻取り芯筒８は軸１１に対し自由回転可能な軸径、穴径になっている。フランジ７Ａ，７Ｂは同形状の部材であり互換性がある。フランジ７Ａと７Ｂに挟み込まれるよう構成されている巻取り芯筒８は、フランジ７Ａ，７Ｂに設けられた凸部に１２Ａ，１２Ｂに前記巻取り芯筒８の凹部１３Ａ，１３Ｂと結合し同時に回転力を受けることが可能である。フランジ７Ａ，７Ｂと巻取り芯筒８が軸部１１から抜けないよう、抜け止めノブ１４が設けてある。抜け止めノブ１４のオネジ部は軸部１１に切られたメネジに合致し固定可能である。【００１３】巻取りリール６に、端子帯３から繰出されるセパレータ紙テープ１５を巻取るためには、巻取りリール６を回転させなければならない。巻取りリール６の回転動力は端子帯リール２の端子帯３が、端子圧着作業を行うため、圧着端子機構４のカム揺動により、間欠的に前方へ押し出されることにより、必然的に端子帯リール２は、時計方向へ回転する。この回転動力を巻取りリール６に伝達せしめ、フランジ７Ａ，フランジ７Ｂを回転させる。【００１４】巻取りリール６へ端子帯リール２の回転動力伝達は、端子帯リール２の側板１６と側板１７の外周と、巻取りリール６の摩擦ドラム１８，摩擦ドラム１９の外周を端子帯リール２の自重を押付けることにより端子帯リール２の回転は、巻取りリール６に伝達され、端子帯リール２の回転により、巻取りリール６が巻取りを開始する。摩擦ドラム１８，摩擦ドラム１９の表面は摩擦係数を増すためサンドブラスト加工が施してある。【００１５】セパレータ紙テープ１５は、巻取り芯筒に設けられた差し込みスリット２０にセパレータ紙テープ１５の先端を差し込むことにより巻取られる。巻取りリール６は端子圧着機本体１に付帯している構造物に取付けられたリールアーム２０に自由回転可能な状態で取付けられている。リールアーム２０は支点２１を中心に時計方向、反時計方向に回転可能である。従って、セパレータ紙テープ１５を巻取る時には、リールアーム２０を反時計方向に回転せしめ、端子帯リール２の側板１６Ａと１６Ｂに接触させる。
【考案の効果】
【００１６】上述したように、圧着端子機能が連続して実行され、機械の破損を保護し無人化の促進，作業中の事故防止に貢献する。
【図面の簡単な説明】
【００１７】
【図１】端子圧着機側面図
【図２】セパレータ紙テープ巻込み図
【図３】セパレータ紙テープ巻取りリール構成図
【図４】セパレータ紙テープ巻取り装置詳細図
【図５】フランジＡ矢視図
【図６】巻取り芯筒
【考案を実施するための形態】
【００１８】図１に示す圧着端子機において、本考案の紙テープ巻取り装置６を具備せしめる。
【実施例】
【００１９】前記［００１８］項における紙テープ巻取り装置６の実施例詳細を図３にしめす。
【産業上の利用可能性】
【００２０】図１に示す汎用圧着端子機に、容易に紙テープ巻取り装置を装着可能であり、何等電気的、機械的改造を伴うことはなく、可動可能である。
【符号の説明】
【００２１】１．  端子圧着機本体
２．  端子帯リール
３．  端子帯
４．  端子圧着機構
５．  紙テープ巻取り装置
６．  巻取りリール
７Ａ  フランジ
７Ｂ  フランジ
８．  巻取り芯筒
９．  固定金具
１０．軸受部
１１．軸部
１２Ａ  凸部
１２Ｂ  凸部
１３Ａ  凹部
１３Ｂ  凹部
１４．抜け止め
１５．セパレータ紙テープ
１６．側板１６Ａ
１７．側板１６Ｂ
１８．摩擦ドラムＡ
１９．摩擦ドラムＢ
２０．リールアーム
２１．支点
【図１】
0003225575.tif 000003
【図２】
0003225575.tif 000004
【図３】
0003225575.tif 000005
【図４】
0003225575.tif 000006
【図５】
0003225575.tif 000007
【図６】
0003225575.tif 000008